(57)【要約】固定端末１２の近傍領域に入ると、その固定端末１２が発信している固有のデバイス・アドレスを受信し、そのデバイス・アドレスを用いて固定端末１２とブルートゥースのリンクを確立する。
2002075962.tif 000002
【特許請求の範囲】
【請求項１】
接続対象機器の近傍領域に入ると、その接続対象機器が発信している固有のデバイス・アドレスを受信するアドレス受信手段と、上記アドレス受信手段により受信されたデバイス・アドレスを用いて上記接続対象機器とブルートゥースのリンクを確立するリンク確立手段とを備えた携帯情報端末。
【請求項２】
アドレス受信手段は、接続対象機器から電力の供給を受けて、デバイス・アドレスの受信処理を実施することを特徴とする請求の範囲第１項記載の携帯情報端末。
【請求項３】
リンク確立手段は、ブルートゥース仕様に規定されたページシーケンスを実行して、接続対象機器とブルートゥースのリンクを確立することを特徴とする請求の範囲第１項記載の携帯情報端末。
【請求項４】
アドレス受信手段により受信されたデバイス・アドレスを表示する表示手段を設けたことを特徴とする請求の範囲第１項記載の携帯情報端末。
【請求項５】
固有のデバイス・アドレスを発信する接続対象機器と、上記接続対象機器の近傍領域に入ると、その接続対象機器が発信しているデバイス・アドレスを受信し、そのデバイス・アドレスを用いて上記接続対象機器とブルートゥースのリンクを確立する携帯情報端末とを備えた無線通信システム。
【請求項６】
接続対象機器が固定端末であることを特徴とする請求の範囲第５項記載の無線通信システム。
【請求項７】
接続対象機器が携帯情報端末であることを特徴とする請求の範囲第５項記載の無線通信システム。
【請求項８】
接続対象機器の近傍領域に入ると、その接続対象機器が発信している固有のデバイス・アドレスを受信し、そのデバイス・アドレスを用いて上記接続対象機器とブルートゥースのリンクを確立するリンク確立方法。
【発明の詳細な説明】
技術分野
この発明は、ブルートゥース（Ｂｌｕｅｔｏｏｔｈ）のリンクを確立する携帯情報端末、無線通信システム及びリンク確立方法に関するものである。
背景技術
第１図は従来の無線通信システムを示す構成図であり、１は携帯情報端末である携帯電話機、２〜６は携帯電話機１の周辺領域に存在する自動販売機などの固定端末である。
次に動作について説明する。
例えば、ユーザが携帯電話機１を用いて固定端末２を操作する場合、携帯電話機１と固定端末２間をブルートゥースにより相互接続する。
具体的には、ブルートゥースのリンクを確立する場合、第２図に示すように、携帯電話機１が“Ｉｎｑｕｉｒｙ”と呼ばれるアドレス要求信号を発信する。
固定端末２は、携帯電話機１から発信されるアドレス要求信号を受信すると、固有のデバイス・アドレスを“Ｉｎｑｕｉｒｙ  Ｒｅｓｐｏｎｓｅ”として携帯電話機１に返信する。
携帯電話機１は、固定端末２から固有のデバイス・アドレスを受信すると、ブルートゥース仕様（Ｓｐｅｃｉｆｉｃａｔｉｏｎ  ｏｆ  ｔｈｅ  Ｂｌｕｅｔｏｏｔｈ  Ｓｙｓｔｅｍ）に規定されたページシーケンスを実行することにより、相互のデバイス・アドレスを確認して、固定端末２とブルートゥースのリンクを確立する。
なお、上記従来例の他に、新たな装置を無線ローカルエリアネットワークに導入する技術が特開２０００−２２４１９７号公報に開示されている。
しかし、かかる技術は、あくまでも、無線ローカルエリアネットワークの構築に関するものであり、２つのデバイスをブルートゥースにより相互接続するものとは異なる。
従来の無線通信システムは以上のように構成されているので、携帯電話機１がアドレス要求信号を発信したのち、固定端末２からデバイス・アドレスが送信されるまで待機する必要があり、速やかにブルートゥースのリンクを確立することができない課題があった。
なお、固定端末２だけではなく、他の固定端末３〜６からも、アドレス要求信号に対するデバイス・アドレスの応答があると、携帯電話機１側で所望の接続先を選択する必要が生じるため、さらにリンクの確立に要する時間が長くなる課題があった。
この発明は上記のような課題を解決するためになされたもので、速やかにブルートゥースのリンクを確立することができる携帯情報端末、無線通信システム及びリンク確立方法を得ることを目的とする。
発明の開示
この発明に係る携帯情報端末は、接続対象機器の近傍領域に入ると、その接続対象機器が発信している固有のデバイス・アドレスを受信するアドレス受信手段と、そのアドレス受信手段により受信されたデバイス・アドレスを用いて接続対象機器とブルートゥースのリンクを確立するリンク確立手段とを設けたものである。
このことによって、速やかにブルートゥースのリンクを確立することができる効果がある。
この発明に係る携帯情報端末は、接続対象機器から電力の供給を受けて、デバイス・アドレスの受信処理を実施するようにしたものである。
このことによって、携帯情報端末に電源を搭載することなく、デバイス・アドレスを受信することができる効果がある。
この発明に係る携帯情報端末は、ブルートゥース仕様に規定されたページシーケンスを実行して、接続対象機器とブルートゥースのリンクを確立するようにしたものである。
このことによって、簡単にブルートゥースのリンクを確立することができる効果がある。
この発明に係る携帯情報端末は、アドレス受信手段により受信されたデバイス・アドレスを表示するようにしたものである。
このことによって、ユーザがデバイス・アドレスを確認することができる効果がある。
この発明に係る無線通信システムは、固有のデバイス・アドレスを発信する接続対象機器と、その接続対象機器の近傍領域に入ると、その接続対象機器が発信しているデバイス・アドレスを受信し、そのデバイス・アドレスを用いて接続対象機器とブルートゥースのリンクを確立する携帯情報端末とを設けたものである。
このことによって、速やかにブルートゥースのリンクを確立することができる効果がある。
この発明に係る無線通信システムは、接続対象機器が固定端末であるようにしたものである。
このことによって、固定端末とブルートゥースのリンクを確立することができる効果がある。
この発明に係る無線通信システムは、接続対象機器が携帯情報端末であるようにしたものである。
このことによって、携帯情報端末とブルートゥースのリンクを確立することができる効果がある。
この発明に係るリンク確立方法は、接続対象機器の近傍領域に入ると、その接続対象機器が発信している固有のデバイス・アドレスを受信し、そのデバイス・アドレスを用いて接続対象機器とブルートゥースのリンクを確立するようにしたものである。
このことによって、速やかにブルートゥースのリンクを確立することができる効果がある。
発明を実施するための最良の形態
以下、この発明をより詳細に説明するために、この発明を実施するための最良の形態について、添付の図面に従って説明する。
実施の形態１．
第３図はこの発明の実施の形態１による無線通信システムを示す構成図であり、図において、１１は携帯情報端末である携帯電話機、１２は接続対象機器である自動販売機などの固定端末である。
１３は電磁誘導作用により電力を携帯電話機１１に供給するとともに、固有のデバイス・アドレスを携帯電話機１１に送信するアドレス発信部、１４は固定端末１２の近傍領域に入ると、固定端末１２の電磁誘導作用により電力の供給を受けて起動し、固定端末１２のデバイス・アドレスを受信するアドレス受信部（アドレス受信手段）であり、アドレス受信部１４は例えば非接触型のＩＣカードである。
１５はアドレス受信部１４により受信されたデバイス・アドレスやアドレスの検知完了メッセージを表示するとともに、ブルートゥースによる接続の要求を受け付ける操作表示部（表示手段）、１６は操作表示部１５により接続の要求が受け付けられると、アドレス受信部１４により受信されたデバイス・アドレスを用いて、固定端末１２とブルートゥースのリンクを確立する近距離無線データ通信部（リンク確立手段）、１７は携帯電話機１１の近距離無線データ通信部１６とブルートゥースのリンクを確立する固定端末１２の近距離無線データ通信部である。
第４図はリンクを確立する手順を示すシーケンス図である。
次に動作について説明する。
固定端末１２のアドレス発信部１３は、携帯電話機１１が数ミリの範囲内に近づいて来ると、電磁誘導作用により携帯電話機１１のアドレス受信部１４を励磁して電力を供給するとともに、固有のデバイス・アドレスであるＢＤ ＡＤＤＲを携帯電話機１１のアドレス受信部１４に送信する。
携帯電話機１１のアドレス受信部１４は、固定端末１２のアドレス発信部１３から電力の供給を受けると、アドレス受信部１４から送信されるデバイス・アドレスの受信処理を実施し、そのデバイス・アドレスを操作表示部１５に出力する。なお、デバイス・アドレスは微小電波で送信されるため、固定端末１２からある程度離れると受信することができない。
携帯電話機１１の操作表示部１５は、アドレス受信部１４から固定端末１２のデバイス・アドレスを受けると、そのデバイス・アドレスをディスプレイに表示するとともに、アドレスの検知完了メッセージをディスプレイに表示する。また、ブルートゥースによる接続を行うか否かの選択を促し、接続要求を受けると、近距離無線データ通信部１６を起動する。
近距離無線データ通信部１６は、操作表示部１５が接続要求を受け付けると、ブルートゥース仕様に規定されたページシーケンスを実行することにより、相互のデバイス・アドレスを確認して、固定端末１２の近距離無線データ通信部１７とブルートゥースのリンクを確立する。
以上で明らかなように、この実施の形態１によれば、固定端末１２の近傍領域に入ると、その固定端末１２が発信している固有のデバイス・アドレスを受信し、そのデバイス・アドレスを用いて固定端末１２とブルートゥースのリンクを確立するように構成したので、デバイス・アドレスの応答待ちや所望の接続先を選択することなく、ブルートゥースのリンクを確立することができる。したがって、速やかにブルートゥースのリンクを確立することができる効果を奏する。
実施の形態２．
上記実施の形態１では、操作表示部１５が接続要求を受け付けると、ブルートゥース仕様に規定されたページシーケンスを実行するものについて示したが、アドレス受信部１４がデバイス・アドレスを受信すると、直ちにページシーケンスを実行するようにしてもよい。
実施の形態３．
上記実施の形態１では、携帯電話機１１の接続対象機器が固定端末１２であるものについて示したが、これに限るものではなく、例えば、携帯電話機などの携帯情報端末であってもよい。
産業上の利用可能性
以上のように、この発明に係る携帯情報端末、無線通信システム及びリンク確立方法は、ブルートゥースのリンクを確立する際、無駄な手順を省略して、速やかにリンクの確立を実現するものに適している。
【図面の簡単な説明】
第１図は従来の無線通信システムを示す構成図である。
第２図はリンクを確立する手順を示すシーケンス図である。
第３図はこの発明の実施の形態１による無線通信システムを示す構成図である。
第４図はリンクを確立する手順を示すシーケンス図である。
【図１】
2002075962.tif 000003
【図２】
2002075962.tif 000004
【図４】
2002075962.tif 000005
【図３】
2002075962.tif 000006
【国際調査報告】
2002075962.tif 000007
2002075962.tif 000008
2002075962.tif 000009